(57)【要約】      （修正有）【課題】繰り返しクリーニングしてシーツ主体が縮んでもマットレスに対してフィット性が優れ、さらに平面的で業務用アイロンに挿入することが容易で、アイロン掛けの作業性を向上できるマットレス用シーツを提供する。【解決手段】マットレス１０の表地部及び周側部１４を有する１枚の織物布地によって形成されたシーツ主体１１と、シーツ主体１１の表地部及び周側部１４と縫着されて袋状に形成され、シーツ主体１１の長手方向の両端部を覆うニット素材によって形成された袋状ニット素材部１２と、シーツ主体１１の周側部１４及び袋状ニット素材部１２によって囲まれた開口部１８とから扁平状のマットレス用シーツを構成し、マットレス１０を前記開口部１８から潜らせてマットレス１０をシーツ主体１１と袋状ニット素材部１２で覆ったとき、袋状ニット素材部１２が持つ伸縮性によってシーツ主体１１にテンションを付与させたことを特徴とする。【選択図】図１
2009273520.tif 000002
【特許請求の範囲】
【請求項１】
長方形状のマットレス１０の上面部に覆うように装着されるマットレス用シーツにおいて、
前記マットレス１０の長手方向の両端部を含む上面部１０ｃ及び左右両側部１０ｄを覆う、表地部１３及び周側部１４を有する１枚の織物布地によって形成されたシーツ主体１１と、
前記マットレス１０の長手方向の両端部における下面部１０ｅ及び左右両側部１０ｄを覆い、前記シーツ主体１１の表地部１３及び周側部１４と縫着されて袋状に形成され、前記シーツ主体１１の長手方向の両端部を覆うニット素材によって形成された袋状ニット素材部１２と、
前記シーツ主体１１の周側部１４及び袋状ニット素材部１２によって囲まれた開口部１８とから扁平状のマットレス用シーツを構成し、
前記マットレス１０を前記開口部１８から潜らせて該マットレス１０を前記シーツ主体１１と袋状ニット素材部１２で覆ったとき、袋状ニット素材部１２が持つ伸縮性によって前記シーツ主体１１にテンションを付与させたことを特徴とするマットレス用シーツ。
【請求項２】
前記シーツ主体１１の袋状ニット素材部１２の周縁部は、前記開口部１８を拡張する方向に円弧状に形成されていることを特徴とする請求項１記載のマットレス用シーツ。
【発明の詳細な説明】
【技術分野】
【０００１】
この発明は、例えば、病院用ベッドのマットレスに着脱可能に装着されるマットレス用シーツに関する。
【背景技術】
【０００２】
病院用ベッドのマットレスに敷設されるシーツには、１枚のシート状タイプのものと、袋状でマットレスを包むように覆い被せるタイプのものがある。前者のものは、シーツの前後・左右両側部をマットレスの下側に挿し込んで保持するようになっているが、就寝者の寝返り等によってシーツがずれ易いという問題がある。また、後者のものは、前述のようなシーツのずれ等は防止できるものの、マットレスに対する着脱が面倒である。
【０００３】
そこで、マットレスを包むように覆い被せる袋状のシーツの裏地部に、マットレスを挿通させるために設けられる開口部の開口縁部を筒状に縫合し、この筒部にゴム紐を挿通してゴム紐の弾性によって開口部を広げることができ、しかもゴム紐の弾性によってシーツを緊張できるようにしたものがある。
【０００４】
また、下敷きマットレスと上敷きマットレスに被せるシーツを袋状に形成するとともに、シーツの裏面部にマットレスを挿通させるために設けられた開口部のコーナ部の角度を約８０°にし、皺の発生を防止したマットレス用シーツも知られている（例えば、特許文献１参照。）。
【０００５】
さらに、シーツ布地の少なくとも一端側を裏面側に折り返してシーツ部と折り返し部とを形成し、シーツ部と折り返し部とを剥離自在な係着体によって係着してマットレス挿入部を形成したものも知られている（例えば、特許文献２参照。）。
【特許文献１】特開２００４−３３５５５号公報
【特許文献２】特開２００２−３６０４００号公報
【発明の開示】
【発明が解決しようとする課題】
【０００６】
しかしながら、病院用ベッドのマットレス用シーツは、汚れの有無に拘らず、マットレスから取り外して定期的にクリーニング業者にクリーニングを依頼されるものであり、また病院ではクリーニングされたシーツを看護師あるいは看護助士の手によってベッドメーキングされる。
【０００７】
したがって、看護師あるいは看護助士の負担を軽減するためマットレスに対する着脱が容易であることが望ましい。この点、前述したように、シーツの裏地部に設けられた開口縁部にゴム紐を入れたものは、開口部の開口幅が伸縮するため、マットレスに対する着脱が容易であるが、繰り返しクリーニングされると、ゴム紐の伸縮性が損なわれてシーツがマットレスにフィットしなくなる。また、シーツにゴム紐が入っていると、アイロン掛けもし難く作業性が悪いとともに、ゴム紐に無理な張力が加わってゴム紐の伸縮性が早期に損なわれるという問題がある。
【０００８】
また、特許文献１のものは、シーツの裏面部に設けられた開口部のコーナ部の角度を約８０°にして皺の発生を防止するものは、シーツが新しいうちは、その効果が期待できるが、繰り返しクリーニングされると、型崩れしてコーナ部の角度が８０°以上に広がり、シーツがマットレスにフィットしなくなるという問題がある。
【０００９】
さらに、特許文献２のものは、洗濯によってシーツが縮むことを想定し、シーツが縮んでも係着体を外してマットレスの下側に敷き込むようにしたものであり、係着体の着脱が面倒である。
【００１０】
そこで、本出願人は、前述のような問題点を解消したマットレス用シーツを、特願２００７−１８５３３号として既に出願している。この先願は、１枚の織物布地によって形成されたシーツ主体を、マットレスの長手方向の両端部の上面部、下面部及び左右両側部を覆うように袋状に形成し、このシーツ主体の長手方向の両端部とニット素材によって形成された両端袋状部とを縫着した構成である。
【００１１】
したがって、マットレス用シーツの長手方向の両端部は、表地部と裏地部がニット素材によって形成されている。一方、業務用クリーニングにおいては、シーツを洗濯、脱水した後、シーツを乾燥工程→アイロン工程→たたみ工程に移す際に、天井に沿って架設されたレールに洗濯バサミが走行自在に設けられており、シーツの長手方向の一端部の両隅を洗濯バサミで挟んで吊下げながら搬送するようになっている。
【００１２】
しかし、シーツの洗濯バサミで挟まれる部分は表地部と裏地部の両方が滑りやすいニット素材によって形成されているため、洗濯バサミからシーツが滑り落ちやすく、シーツを吊下げてレールに沿って移動する際の取り扱いに注意を要するという問題がある。
【００１３】
この発明は、前記事情に着目してなされたもので、その目的とするところは、マットレスに対する着脱が容易であるとともに、繰り返しクリーニングしてシーツ主体が縮んでもマットレスに対してフィット性が優れている。さらに扁平状で業務用アイロンに挿入することが容易であるとともに、シーツを洗濯バサミで吊下げて乾燥工程→アイロン工程→たたみ工程に移す際にもシーツが滑り落ちることはないマットレス用シーツを提供することにある。
【課題を解決するための手段】
【００１４】
この発明は、前記目的を達成するために、請求項１は、長方形状のマットレス１０の上面部に覆うように装着されるマットレス用シーツにおいて、前記マットレス１０の長手方向の両端部を含む上面部１０ｃ及び左右両側部１０ｄを覆う、表地部１３及び周側部１４を有する１枚の織物布地によって形成されたシーツ主体１１と、前記マットレス１０の長手方向の両端部における下面部１０ｅ及び左右両側部１０ｄを覆い、前記シーツ主体１１の両端表地部１２及び周側部１４と縫着されて袋状に形成され、前記シーツ主体１１の長手方向の両端部を覆うニット素材によって形成された袋状ニット素材部１２と、前記シーツ主体１１の周側部１４及び袋状ニット素材部１２によって囲まれた開口部１８とから扁平状のマットレス用シーツを構成し、前記マットレス１０を前記開口部１８から潜らせて該マットレス１０を前記シーツ主体１１と袋状ニット素材部１２で覆ったとき、袋状ニット素材部１２が持つ伸縮性によって前記シーツ主体１１にテンションを付与させたことを特徴とする。
【００１５】
請求項２は、請求項１の前記シーツ主体１１の袋状ニット素材部１２の周縁部１２ａは、前記開口部１８を拡張する方向に円弧状に形成されていることを特徴とする。
【発明の効果】
【００１６】
この発明によれば、シーツ主体の縮みを袋状ニット素材部の伸縮で吸収することができ、さらにシーツ主体の皺を袋状ニット素材部の弾力性で取り除くことができ、マットレスに対するフィット性が優れているとともに、マットレスに対するシーツの着脱が容易である。さらに、全体が偏平状であるため、業務用アイロンに挿入すること及び折り畳みの作業性の向上を図ることができ、またシーツを洗濯バサミで吊下げて乾燥工程→アイロン工程→たたみ工程に移す際にもシーツが滑り落ちることはないという効果がある。
【発明を実施するための最良の形態】
【００１７】
以下、この発明の実施の形態を図面に基づいて説明する。
【００１８】
図１〜図３に示すように、例えば、病院用ベッドの長方形状のマットレス１０の上面部に覆うように装着されるマットレス用シーツは、１枚の織物布地によって形成されたシーツ主体１１とニット素材によって形成された袋状ニット素材部１２とから構成されている。シーツ主体１１は、例えば綿、ポリエステル等の混紡で安価であるが、繰り返しクリーニングすると、５〜１０％程度縮む布地である。袋状ニット素材部１２は、ニット（編物）であるため、伸縮性、弾力性、柔軟性に富んだ素材である。
【００１９】
前記シーツ主体１１は、１枚の布地でマットレス１０の長手方向の両端部１０ａ，１０ｂ（頭部側と足部側）を除き、マットレス１０の上面部１０ｃを覆う表地部１３及びマットレス１０の左右両側部１０ｄを覆う周側部１４が形成されている。袋状ニット素材部１２は、マットレス１０の長手方向の両端部１０ａ，１０ｂの下面部１０ｃ及び左右両側部１０ｄの下半分を覆うように下地部１５によって形成されている。
【００２０】
そして、袋状ニット素材部１２の下地部１５の両端部はシーツ主体１１の表地部１３の両端部に、下地部１５の両側部はシーツ主体１１の周側部１４にそれぞれ縫着（縫着部１７）されている。したがって、シーツ主体１１と下地部１５は一体的に連結され、袋状ニット素材部１２が形成されている。さらに、シーツ主体１１の周側部１４及び袋状ニット素材部１２の下地部１５によって囲まれた開口部１８が形成されている。また、シーツ主体１１の袋状ニット素材部１２の周縁部１２ａは開口部１８を拡張する方向に円弧状に形成されている。
【００２１】
そして、マットレス１０を開口部１８から潜らせてマットレス１０をシーツ主体１１と袋状ニット素材部１２で覆ったとき、袋状ニット素材部１２の下地部１５が持つニット素材の伸縮性によってシーツ主体１１にテンションを付与させることができる。さらに、マットレス１０を開口部１８から潜らせる際に、袋状ニット素材部１２が伸長するため、マットレス１０の対しての着脱が容易であり、同時にシーツ主体１１の縮みを袋状ニット素材部１２の伸縮で吸収することができるとともに、シーツ主体１１の皺を袋状ニット素材部１２の弾力性で取り除くことができる。
【００２２】
また、袋状ニット素材部１２の周縁部１２ａは開口部１８を拡張する方向に円弧状に形成すると、マットレス１０を開口部１８から潜らせる際に開口部１８が大きく開口するため、マットレス１０の対しての着脱が一層容易となる。さらに、業務用クリーニングの際に、シーツ主体１１の長手方向の一端側（上部）の両隅を洗濯バサミで挟んで吊下げたときでも、シーツ主体１１の下端側（下部）に位置する袋状ニット素材部１２の周縁部１２ａが外側に大きく捲れることはないため、アイロン工程に支障を来たすことがない。
【００２３】
また、シーツ主体１１の周側部１４及び袋状ニット素材部１２の周縁部には１本の連続した縫着部１７が形成され、この縫着部１７がシーツ輪郭を形成しており、シーツ全体が扁平状である。したがって、シーツを洗濯した後、シーツを業務用アイロン（複数本の熱ロールとプレートとの間）に挿入するが、シート主体１１は、縫着部１７が基準となって表地部１３と周側部１４とが扁平状に二つ折りとなり、袋状ニット素材部１２は、縫着部１７が基準となって表地部１３と下地部１５とが扁平状に二つ折りとなるため、アイロン掛け・折り畳みの作業性が容易となる。
【００２４】
このように構成されたマットレス用シーツによれば、シーツ主体１１は繰り返しクリーニングすると、５〜１０％程度縮む布地であるが、袋状ニット素材部１２の下地部１５は、ニット（編物）であるため、伸縮性、弾力性、柔軟性に富んだ素材である。したがって、袋状ニット素材部１２の伸縮でシーツ主体１１の縮みを吸収することができ、さらにシーツ主体１１の皺を袋状ニット素材部１２の弾力性で取り除くことができる。
【００２５】
また、病院等においては、ベッドのマットレスに対するシーツの交換作業は看護師や看護助手が行っているが、ベッド数の多い病院等においては、シーツの交換作業に多くの時間を費やし、看護師や看護助手の負担になっている。一般的にはマットレスに対するシーツの交換作業に要する時間は、１枚当たり、二人で３分と言われているが、この発明のシーツによれば、マットレス１０を開口部１８から潜らせる際に、袋状ニット素材部１２が伸長するため、マットレス１０の対しての着脱が容易であり、一人でも１分前後で行えるため、看護師や看護助手の労力を大幅に軽減できる。
【００２６】
なお、この発明は、前記実施形態そのままに限定されるものではなく、実施段階ではその要旨を逸脱しない範囲で構成要素を変形して具体化できる。また、前記実施形態に開示されている複数の構成要素の適宜な組合せにより種々の発明を形成できる。例えば、実施形態に示される全構成要素から幾つかの構成要素を削除してもよい。さらに、異なる実施形態に亘る構成要素を適宜組み合わせてもよい。
【図面の簡単な説明】
【００２７】
【図１】この発明の第１の実施形態に係るマットレス用シーツの裏面側から見た斜視図。
【図２】同実施形態を示し、図１のＡ−Ａ線に沿って断面した拡大図。
【図３】同実施形態を示し、シーツ自体の斜視図。
【符号の説明】
【００２８】
１０…マットレス、１１…シーツ主体、１２…袋状ニット素材部、１３…表地部、１４…周側部、１５…下地部、１７…縫着部、１８…開口部
【図１】
2009273520.tif 000003
【図２】
2009273520.tif 000004
【図３】
2009273520.tif 000005